(57)【特許請求の範囲】
【請求項１】
磁気ストライプ読取部と、画像取込部と、これらを制御可能な制御部とを有し、
前記制御部による制御により、セットされた通帳に対して、前記磁気ストライプ読取部により読取った当該通帳の磁気ストライプに異常があるか否かの判定と、前記画像取込部により取込んだ当該通帳の印字に異常があるか否かの判定とを行い、
前記磁気ストライプの異常の判定は、ジッタ異常及びアジマス異常を検出することにより行い、
前記アジマス異常は、通帳に対して前記磁気ストライプ検出部の磁気ヘッドを、あらかじめ定めた角度範囲について、あらかじめ定めた角度ずつ斜めにずらしてセットしていき、斜めにセットした状態で磁気情報が読み取れる場合にアジマス異常と判定することを特徴とする通帳良否判定装置。
【請求項２】
請求項１に記載の通帳良否判定装置において、
前記セットされた通帳に対して、同じ金融機関の形式の通帳であるか否かの判定を、前記磁気ストライプ読取部により読取った通帳の磁気情報及び前記画像取込部により取込んだ通帳のバーコード情報が同じ金融機関の形式であるか否かで判定することにより行なった後に、前記磁気ストライプに異常があるか否かの判定及び前記印字に異常があるか否かの判定を行うことを特徴とする通帳良否判定装置。
【請求項３】
請求項１又は請求項２に記載の通帳良否判定装置において、
前記ジッタ異常は、文字の磁気情報の強さが所定値以上であるか否かで判定することを特徴とする通帳良否判定装置。
【請求項４】
請求項１から請求項３のいずれか一項に記載の通帳良否判定装置において、
前記印字に異常があるか否かの判定は、印字が薄いか否か及び印字が裏写りしていないか否かの判定を行うことを特徴とする通帳良否判定装置。
【請求項５】
請求項４に記載の通帳良否判定装置において、
前記印字が薄いか否かの判定は、前記画像取込部の画像感度をあらかじめ定めた範囲、あらかじめ定めた段階ずつ上げていき、印字情報を認識できるようになったか否かの判定により行うことを特徴とする通帳良否判定装置。
【請求項６】
請求項４又は請求項５に記載の通帳良否判定装置において、
前記印字が裏写りしていないか否かの判定は、前記画像取込部の画像感度をあらかじめ定めた範囲、あらかじめ定めた段階ずつ下げていき、印字情報は変わったか否かの判定により行うことを特徴とする通帳良否判定装置。
【請求項７】
請求項１から請求項６のいずれか一項に記載の通帳良否判定装置において、
前記印字に異常があるか否かの判定には、斜め印字か否かの判定又は行飛びか否かの判定が含まれることを特徴とする通帳良否判定装置。
【請求項８】
請求項１から請求項７のいずれか一項に記載の通帳良否判定装置において、
解析結果表示画面を有し、前記判定結果を、前記解析結果表示画面に表示することを特徴とする通帳良否判定装置。
【発明の詳細な説明】
【技術分野】
【０００１】
本発明は、通帳良否判定装置に関し、特に、通帳媒体自体の不具合を、その場で容易に発見できる通帳良否判定装置に関する。
【背景技術】
【０００２】
現金自動機にて通帳に取引内容を印字（通帳記入）するために、通帳挿入口に通帳を挿入するが、「この通帳はお取扱できません」、「ページが正しくありません」などというメッセージと共に、通帳がリジェクトしてしまう事例がよくある。この通帳リジェクトの原因は、通帳部の問題（ハード要因）もあるが、通帳自体に問題（媒体要因）がある事例も少なくない。
【０００３】
特許文献１には、通帳に印刷されているバーコードを読取り、通帳の種類を判別する方式が記載されている。
【特許文献１】特開０５−２８２３４７号公報
【発明の開示】
【発明が解決しようとする課題】
【０００４】
しかし、そのような障害時には、保守員は駆けつけたが「エンドユーザは既に立ち去った後」の場合が多く、通帳リジェクトが発生した時の通帳を保守員が確認し、ハード要因なのか／媒体要因なのかを正確に切り分けることはできず、推定で清掃を実施したり、部品交換を行い、通帳リジェクト障害が再発することも多く、保守性が悪かった。
【０００５】
一方、特許文献１に記載の発明は、バーコードを読取り、通帳の種類を判別する方式のみが記載されている。
【０００６】
上記課題に鑑みて、本発明は、通帳媒体自体の不具合を、その場で容易に発見できる通帳良否判定装置を提供することを目的とする。
【課題を解決するための手段】
【０００７】
上記目的を達成するため、本発明の通帳良否判定装置は、磁気ストライプ読取部と、画像取込部と、これらを制御可能な制御部とを有し、前記制御部による制御により、セットされた通帳に対して、前記磁気ストライプ読取部により読取った当該通帳の磁気ストライプに異常があるか否かの判定と、前記画像取込部により取込んだ当該通帳の印字に異常があるか否かの判定とを行い、前記磁気ストライプの異常の判定は、ジッタ異常及びアジマス異常を検出することにより行い、前記アジマス異常は、通帳に対して前記磁気ストライプ検出部の磁気ヘッドを、あらかじめ定めた角度範囲について、あらかじめ定めた角度ずつ斜めにずらしてセットしていき、斜めにセットした状態で磁気情報が読み取れる場合にアジマス異常と判定することを特徴とする。さらに本発明の通帳良否判定装置は、前記セットされた通帳に対して、同じ金融機関の形式の通帳であるか否かの判定を、前記磁気ストライプ読取部により読取った通帳の磁気情報及び前記画像取込部により取込んだ通帳のバーコード情報が同じ金融機関の形式であるか否かで判定することにより行なった後に、前記磁気ストライプに異常があるか否かの判定及び前記印字に異常があるか否かの判定を行うことを特徴とする。
【０００８】
さらに本発明の通帳良否判定装置は、前記ジッタ異常は、文字の磁気情報の強さが所定値以上であるか否かで判定することを特徴とする。
【０００９】
さらに本発明の通帳良否判定装置は、前記印字に異常があるか否かの判定は、印字が薄いか否か及び印字が裏写りしていないか否かの判定を行うことを特徴とする通帳良否判定装置。さらに本発明の通帳良否判定装置は、前記印字が薄いか否かの判定は、前記画像取込部の画像感度をあらかじめ定めた範囲、あらかじめ定めた段階ずつ上げていき、印字情報を認識できるようになったか否かの判定により行うことを特徴とする。さらに本発明の通帳良否判定装置は、前記印字が裏写りしていないか否かの判定は、前記画像取込部の画像感度をあらかじめ定めた範囲、あらかじめ定めた段階ずつ下げていき、印字情報は変わったか否かの判定により行うことを特徴とする。さらに本発明の通帳良否判定装置は、前記印字に異常があるか否かの判定には、斜め印字か否かの判定又は行飛びか否かの判定が含まれることを特徴とする。さらに本発明の通帳良否判定装置は、解析結果表示画面を有し、前記判定結果を、前記解析結果表示画面に表示することを特徴とする。
【発明の効果】
【００１０】
本発明によれば、通帳良否判定装置において、通帳媒体自体の不具合を、その場で容易に発見することができる。
【発明を実施するための最良の形態】
【００１１】
本発明を実施するための最良の形態を説明する。
【００１２】
図１は、本発明の通帳良否判定装置の外観図の一例を示す図である。通帳良否判定装置１は、通帳５を、通帳挿入口４に挿入し、必要に応じ操作ボタン３を操作し、解析結果表示画面２にその結果を示すものである。なお、解析結果は、音などで示すことも可能である。
【００１３】
図２は、本発明の通帳良否判定装置の一実施形態を示すハード構成図である。通帳良否判定装置１は、解析結果表示画面２、操作ボタン３、通帳搬送部７、ＭＳ８、ＣＣＤ９、電源１０、制御部６を有する。そして、解析結果表示画面２と、操作ボタン３と、通帳搬送部７と、磁気ストライプ読取部となるＭＳ８と、画像取込部となるＣＣＤ９と、電源１０は、それぞれ、制御部６と接続されている。そして、ＬＣＤ等の解析結果表示画面２による表示、操作ボタン３による操作、通帳搬送部７による通帳の搬送、ＭＳ８による磁気ストライプのリード、ＣＣＤ９による通帳の読取、電源１０のそれぞれの制御は、制御部６によって制御が行われる。当該制御部６による制御は以下に示される通りである。
【００１４】
図３は、本発明の通帳良否判定装置の一実施形態である全体のフローチャートである。まず、現金自動機にて通帳リジェクト発生すると（Ｓ１００）、次に、行員等は、エンドユーザから通帳を借用し、通帳良否判定装置にセットする（Ｓ１０１）。そして、これ以降が本通帳良否判定装置１による制御となる。
【００１５】
まず、他行通帳調査を行う（Ｓ１０２）。すなわち、同じ金融機関の形式の通帳であるかどうかを調査する。そして、他行通帳であるか否かを判定し（Ｓ１０３）、他行通帳である場合は、次の調査をせず終了（Ｓ１０７）となり、他行通帳でない場合は、ジッタ・アジマス調査を行う（Ｓ１０４）。ジッタ・アジマス異常があるか否かを判定し（Ｓ１０５）、ジッタ・アジマス異常がある場合は、次の調査をせず終了（Ｓ１０７）となり、ジッタ・アジマス異常がない場合は、印字調査を行い（Ｓ１０６）終了（Ｓ１０７）となる。
【００１６】
図４は、図３における「他行通帳調査（Ｓ１０２）」の内容を示すフローチャートである。磁気情報を読取り、自行の磁気情報かどうか比較し、他行通帳でないか判定する。また、ＣＣＤによりバーコードを読取り、バーコードの種類・パターンを自行のものと比較し、他行通帳でないか判定する。まず、磁気ストライプリード（Ｓ２０２）を行い、磁気情報は自行か否かを判定する（Ｓ２０３）。磁気情報が自行であると判定した場合は終了（Ｓ２０７）となり、自行でないと判定した場合は、通帳バーコード画像読込み（Ｓ２０４）を行う。そして、他行通帳か否かを判定する（Ｓ２０５）。そして、他行通帳でないと判定した場合は終了（Ｓ２０７）となり、他行通帳であると判定した場合は、「この通帳は他行通帳です」との表示を解析結果表示画面２に行い（Ｓ２０６）終了（Ｓ２０７）となる。
【００１７】
図５は、図３における「ジッタ・アジマス調査（Ｓ１０４）」の内容を示すフローチャートである。まず、磁気ストライプリードを行い（Ｓ３０２）、磁気なしか否を判定する（Ｓ３０３）。そして、磁気なしと判定した場合は、「この通帳は磁気なしです」との表示を解析結果表示画面２に行い（Ｓ３０４）終了（Ｓ３０９）となる。一方、磁気なしでないと判定した場合は、ジッタ異常か否かを判定する（Ｓ３０６）。そして、ジッタ異常と判定した場合は、「この通帳は磁気異常です」との表示を解析結果表示画面２に行い（Ｓ３０６）終了（Ｓ３０９）となる。一方、ジッタ異常でないと判定した場合は、アジマス異常かを判定する（Ｓ３０７）。そして、アジマス異常と判定した場合は、「この通帳は磁気書込み不良です」との表示を解析結果表示画面２に行い（Ｓ３０８）終了（Ｓ３０９）となる。一方、アジマス異常でないと判定した場合はそのまま終了（Ｓ３０９）となる。
【００１８】
ここで、ジッタ異常の判定とは、通帳の磁気書込み密度が異常かどうかの判定であり、アジマス異常の判定とは、通帳の磁気書込み角度が異常かどうかの判定である。
【００１９】
図６は、図３における「印字調査（Ｓ１０６）」の内容を示すフローチャートである。
まず、印字画像読込みを行い（Ｓ４０２）、印字位置と磁気情報は一致するか否かを判定する（Ｓ４０３）。そして、一致すると判定した場合は、「この通帳は問題ありません」との表示を解析結果表示画面２に行い（Ｓ４０４）終了（Ｓ４１４）となる。一方、一致しないと判定した場合は、印字が薄いか否かの判定をする（Ｓ４０５）。そして、印字が薄いと判定した場合は、「この通帳は印字が薄いです」との表示を解析結果表示画面２に行い（Ｓ４０６）終了（Ｓ４１４）となる。一方、印字が薄くないと判定した場合は、裏写りか否かの判定をする（Ｓ４０７）。そして、裏写があると判定した場合は、「この通帳は裏写りしています」との表示を解析結果表示画面２に行い（Ｓ４０８）終了（Ｓ４１４）となる。
一方、裏写りがないと判定した場合は、斜め印字か否かの判定をする（Ｓ４０９）。そして、斜め印字と判定した場合は、「この通帳は斜め印字です」との表示を解析結果表示画面２に行い（Ｓ４１０）終了（Ｓ４１４）となる。一方、斜め印字でないと判定した場合は、行飛びか否かの判定をする（Ｓ４１１）。そして、行飛びと判定した場合は、「この通帳は行飛びです」との表示を解析結果表示画面２に行い（Ｓ４１２）終了（Ｓ４１４）となる。
一方、行飛びでないと判定した場合は、「この通帳はゴミ付着または汚れています」との表示を解析結果表示画面２に行い（Ｓ４１３）終了（Ｓ４１４）となる。
【００２０】
図７は、図４における「ａ  他行通帳か（Ｓ２０５）」の内容を示すフローチャートである。まず、バーコード情報読取り（Ｓ５０２）、バーコードの種類・パターンを自行のものと比較し、他行通帳か否かを判定する（Ｓ５０３）。そして、自行のものでないと判定した場合は、「銀行フラグ：ａ０（バーコード異常）」（Ｓ５０４）とし、自行のものであると判定した場合は、「銀行フラグ：ａ１（正常）」（Ｓ５０５）としてそれぞれ終了（Ｓ５０６）する。
【００２１】
図８は、図５における「ｂ  磁気なしか（Ｓ３０３）」の内容を示すフローチャートである。まず、ＭＳ磁気リードすなわち磁気ストライプのリードをし（Ｓ６０２）、磁気レベルゼロか否かを判定する（Ｓ６０３）。そして、磁気レベルがゼロでない判定した場合は、「磁気レベルフラグ：ｂ１（正常）」（Ｓ６０４）とし、磁気レベルがゼロと判定した場合は、「磁気レベルフラグ：ｂ０（磁気なし）」（Ｓ６０５）としてそれぞれ終了（Ｓ６０６）する。
【００２２】
図９は、図５における「ｃ  ジッタ異常か（Ｓ３０５）」の内容を示すフローチャートである。読取った磁気情報により、磁気の１文字間隔や磁気の強さを自行のパターンと比較し、ジッタ異常（磁気消え）でないか判定する。本フローチャートでは、１文字の磁気情報の強さが所定値以上であるか否かで判定している（Ｓ７０２）。１文字の磁気情報の強さが所定値以上でない場合は、「磁気レベルフラグ：ｂ２（ジッタ異常）」として終了（Ｓ７０５）する。一方、１文字の磁気情報の強さが所定値以上である場合は、「磁気レベルフラグ：ｂ１（正常）」として（Ｓ７０４）終了（Ｓ７０５）する。
【００２３】
図１０は、図５における「ｄ  アジマス異常か（Ｓ３０７）」の内容を示すフローチャートである。アジマス異常は、磁気ヘッドを斜めにセットし、磁気情報を読取り、磁気が正常に読取れた場合には、アジマス異常と判定することで調べることができる。まず、磁気ヘッドが標準（０度）において、磁気ヘッドは磁気情報は読めるか（認識できるか）否かを判定する（Ｓ８０２）。磁気情報が読める場合は、「磁気レベルフラグ：ｂ１（正常）」とし（Ｓ８０３）、終了する（Ｓ８０４）。一方、磁気情報を読めないと判定する場合は、磁気ヘッドを標準より、０．２度右斜めにセットする（Ｓ８０５）。次に、磁気ヘッドは右＋２度超か否かを判定する（Ｓ８０６）。右＋２度超の場合はＳ８１１へ行き、右＋２度超でない場合は、磁気情報は読めるか（認識できるか）否かを判定する（Ｓ８０７）。磁気情報を読めないと判定する場合は、磁気ヘッドを＋０．２度右斜めにセットし（Ｓ８０８）、Ｓ８０６へ戻る。一方、磁気情報を読めると判定する場合は、「磁気レベルフラグ：ｂ３（アジマス異常）」とし（Ｓ８０９）、終了する（Ｓ８１０）。Ｓ８１１では、磁気ヘッドを標準より、０．２度左斜めにセットする。そして、磁気ヘッドは左＋２度超か否かを判定する（Ｓ８１２）。左＋２度超の場合は、「磁気レベルフラグ：ｂ１（正常）」とし（Ｓ８１３）、終了（Ｓ８１７）する。一方、左＋２度超でない場合は、磁気情報を読めるか（認識できるか）否かを判定する（Ｓ８１４）。磁気情報を認識できると判定した場合は、磁気ヘッドを＋０．２度左斜めにセットし（Ｓ８１５）、Ｓ８１２へ戻る。一方、磁気情報が読めると判定した場合は、「磁気レベルフラグ：ｂ３（アジマス異常）」として（Ｓ８１６）終了（Ｓ８１７）する。
【００２４】
Ｓ８０７とＳ８１４において、磁気情報が読めるか否かの判定には、まず磁気ヘッドが磁気情報を読み取る必要がある。ここで、磁気ヘッドが磁気情報を読み取る読取方法は次の２通りがあげられる。まず１つが、磁気ヘッドを横に移動させながら０．２度ずつ傾けていく方法である。つまり、ある角度で一定量移動しながら読取を行い、読み取れない場合、＋０．２度斜めにセットし（Ｓ８０８、Ｓ８１５）、またさらに一定量移動しながら読取を繰り返す方法である。そして、最後尾が一番傾きが大きく（最大２度）なる。これにより、磁気情報の読取を１回（もしくは左右１回ずつの計２回以内）の横移動で行えるため全体の読取時間を短縮する効果を有する。２つ目が、磁気ヘッドの傾きを決めたら、固定したまま、全体の読取を行い、読み取れない場合、＋０．２度斜めにセットし（Ｓ８０８、Ｓ８１５）、全体の読取を再び繰り返す方法である。この場合、時間はかかるが全体を読み込むためより正確に磁気情報の傾きの検出が可能となる。
【００２５】
このように、アジマス異常は、通帳に対して磁気ヘッドをあらかじめ定めた角度範囲について、あらかじめ定めた角度ずつ斜めにずらしてセットしていくことで、検出することが可能となる。なお、図１０における０．２度や２度は一例であり、状況に応じて適切な角度が選択される。
【００２６】
図１１は、図６における「ｅ  印字が薄いか（Ｓ４０５）」の内容を示すフローチャートである。ＣＣＤ感度を裏写りしない程度に上げて、画像を取込み、印字が読取れた場合、印字薄と判定する。まず、画像感度を標準より、０．５段階上げる（Ｓ９０２）。次に、画像感度は＋３段階超か否かを判定する（Ｓ９０３）。画像感度は＋３段階超である場合は、「印字レベルフラグ：ｃ１（正常）」とし（Ｓ９０４）終了する（Ｓ９０８）。一方、画像感度は＋３段階超でない場合は、印字情報を認識できるようになったか否かを判定する（Ｓ９０５）。印字情報を認識できるようになっていないと判定した場合は、画像感度を０．５段階上げ（Ｓ９０６）、Ｓ９０３へもどる。一方、印字情報を認識できるようになったと判定した場合は「印字レベルフラグ：ｃ２（印字薄い）」として（Ｓ９０７）終了する（Ｓ９０８）。
【００２７】
このように、ＣＣＤ９の画像感度をあらかじめ定めた範囲について、あらかじめ定めた段階ずつ上げていくことで、印字が薄いか否かを判定することが可能となる。
【００２８】
図１２は、図６における「ｆ  裏写りか（Ｓ４０７）」の内容を示すフローチャートである。ＣＣＤ感度を普通の印字が消えない程度の感度下げて、画像を取込み、印字情報が変わった場合、裏写りと判定する。まず、画像感度を標準より、０．５段階下げる（Ｓ１００２）。次に画像感度は−３段階超か否かを判定する（Ｓ１００３）。そして、画像感度は−３段階超である場合は、「印字レベルフラグ：ｃ１（正常）」とし（Ｓ１００４）、終了する（Ｓ１００８）。一方、画像感度は−３段階超でない場合は、印字情報は変わったか否かを判定する（Ｓ１００５）。印字情報が変わってないと判定した場合は、画像感度を０．５段階下げ（Ｓ１００６）、Ｓ１００３に戻る。一方、印字情報は変わったと判定した場合は「印字レベルフラグ：ｃ３（裏写り）」として（Ｓ１００７）終了する（Ｓ１００８）。
【００２９】
このように、ＣＣＤ９の画像感度をあらかじめ定めた範囲について、あらかじめ定めた段階ずつ下げていくことで、裏写りか否かを判定することが可能となる。
【００３０】
図１３は、図６における「ｇ  斜め印字か（Ｓ４０９）」の内容を示すフローチャートである。ＣＣＤ画像を取込み、印字状態が自行の規定よりも斜めになっていないか判定する。まず、通帳全体の画像を取込む（Ｓ１１０２）。次に、印字状態は斜めか否かを判定する（Ｓ１１０３）。印字状態が斜めでないと判定した場合、「印字レベル：ｃ１（正常）」として（Ｓ１１０４）終了する（Ｓ１１０６）。一方、印字状態が斜めであると判定した場合、「印字レベル：ｃ４（斜め）」として（Ｓ１１０５）終了する（Ｓ１１０６）。
【００３１】
図１４は、図６における「ｈ  行飛びか（Ｓ４１１）」の内容を示すフローチャートである。ＣＣＤ画像を取込み、印字位置が自行の規定よりもズレていないか判定する。まず、通帳全体の画像を取込む（Ｓ１２０２）。次に、印字位置は行飛びか否かを判定する（Ｓ１２０２）。印字位置が行飛びでないと判定した場合、「印字レベル：ｃ１（正常）」として（Ｓ１２０４）終了する（Ｓ１２０６）。一方、印字位置が行飛びであると判定した場合は、「印字レベル：ｃ５（行飛び）」として終了する（Ｓ１２０６）。
【００３２】
図１５は、各フラグの一例を示す図表である。各フラグだけでなく、その状態を解析結果表示画面２に表示することで、その原因がわかることができる。
【００３３】
以上のように本発明は、例えば、「この通帳はお取扱できません、という音声と共に、通帳が戻ってきてしまう」と、エンドユーザから申告があった場合、行員はリジェクトが発生した通帳をエンドユーザから一時的に借用し、その場で通帳良否判定装置を使って、通帳の良否を確認する。その結果、通帳自体が悪かった場合、通帳を再発行することによって、再発を防止し、通帳リジェクト発生を低減する。また、通帳に問題がなかった場合、障害コールし、保守員を呼んで、ハード調査を実施する。通帳は問題ないと判っているので、対策時間が短くて済むこととなる。
【図面の簡単な説明】
【００３４】
【図１】本発明の通帳良否判定装置の外観図の一例を示す図である。
【図２】本発明の通帳良否判定装置の一実施形態を示すハード構成図である。
【図３】本発明の通帳良否判定装置の一実施形態である全体のフローチャートである。
【図４】図３における「他行通帳調査」の内容を示すフローチャートである。
【図５】図３における「ジッタ・アジマス調査」の内容を示すフローチャートである。
【図６】図３における「印字調査」の内容を示すフローチャートである。
【図７】図４における「ａ  他行通帳か」の内容を示すフローチャートである。
【図８】図５における「ｂ  磁気なしか」の内容を示すフローチャートである。
【図９】図５における「ｃ  ジッタ異常か」の内容を示すフローチャートである。
【図１０】図５における「ｄ  アジマス異常か」の内容を示すフローチャートである。
【図１１】図６における「ｅ  印字が薄いか」の内容を示すフローチャートである。
【図１２】図６における「ｆ  裏写りか」の内容を示すフローチャートである。
【図１３】図６における「ｇ  斜め印字か」の内容を示すフローチャートである。
【図１４】図６における「ｈ  行飛びか」の内容を示すフローチャートである。
【図１５】各フラグの一例を示す図表である。
【符号の説明】
【００３５】
１    通帳良否判定装置
２    解析結果表示画面
３    操作ボタン
４    通帳挿入口
５    通帳
６    制御部
７    通帳搬送部
８    ＭＳ
９    ＣＣＤ
１０  電源
【図１】
0005227597.tif 000002
【図２】
0005227597.tif 000003
【図３】
0005227597.tif 000004
【図４】
0005227597.tif 000005
【図５】
0005227597.tif 000006
【図６】
0005227597.tif 000007
【図７】
0005227597.tif 000008
【図８】
0005227597.tif 000009
【図９】
0005227597.tif 000010
【図１０】
0005227597.tif 000011
【図１１】
0005227597.tif 000012
【図１２】
0005227597.tif 000013
【図１３】
0005227597.tif 000014
【図１４】
0005227597.tif 000015
【図１５】
0005227597.tif 000016